(57)【要約】【課題】光ファイバケーブルのケーブルシース自体を側圧が加わりにくい形状とすることで、側圧特性が向上する光ファイバケーブルを提供する。【解決手段】ケーブルシースは、ファイバユニットの長手方向に両端部とその間の胴部とが一直線上に一体として形成されて、該胴部は両端部に対して凹状形状とされ、一直線上の両端部最外面距離は一直線に対して直角方向の胴部の胴外面距離に比べて長く形成され、両端部の一方または双方の外方外面が外方に向けて突き出され、側方外面が側方に突き出されて、光ファイバケーブルを外方向に向けた突き出し部分を中心として一直線上に垂直方向に立てられて外圧がかかったときに、光ファイバケーブルは回動して横向きに倒れて側方外面の突き出し部分が横向き載置の固定材に接触して静止されるようにした。【選択図】図２
2010175762.tif 000002
【特許請求の範囲】
【請求項１】
複数本の光ファイバ心線をユニットにした光ファイバユニットと該光ファイバユニットの両側に配置した一対のテンションメンバをケーブルシースで被覆し、前記光ファイバユニットの長手方向で、該ケーブルシースの両側側面にケーブル引き裂き用ノッチ部が形成された光ファイバケーブルにおいて、
前記ケーブルシースは、ファイバユニットの長手方向に両端部とその間の胴部とが一直線上に一体として形成されて、該胴部は両端部に対して凹状形状とされ、一直線上の両端部最外面距離は一直線に対して直角方向の胴部の胴外面距離に比べて長く形成され、
両端部の一方または双方の外方外面が外方に向けて突き出され、側方外面が側方に突き出されて、光ファイバケーブルを外方向に向けた突き出し部分を中心として一直線上に垂直方向に立てられて外圧がかかったときに、光ファイバケーブルは回動して横向きに倒れて側方外面の突き出し部分が横向き載置の固定材に接触して静止されるようにしたこと
を特徴とする光ファイバケーブル。
【請求項２】
請求項１において、両端部は胴部の一直線に対する直角方向の面に対して対称的形状に形成され、胴部は外面が円筒状に形成され、側方外面の突き出し部は一直線に対する直角方向の面でファイバユニットの最外側の光ファイバ心線からはずれ、テンションメンバの内側に配設されていることを特徴とする光ファイバケーブル。
【請求項３】
請求項１において、両端部の外方外面は中央を頂点とした曲面形状にされ、曲面形状の終点部が側方外面の突き出し部とされることを特徴とする光ファイバケーブル。
【請求項４】
請求項１において、両端部の外方外面は中央を頂点とした菱形形状とされ、菱形形状の終点部が側方外面の突き出し部とされることを特徴とする光ファイバケーブル。
【発明の詳細な説明】
【技術分野】
【０００１】
この発明は、光ファイバケーブルに関する。
【背景技術】
【０００２】
従来、小規模なビル構内等インドアで使用される光ファイバケーブル（インドアケーブル）には、光ファイバ素線の部分が４心から８心程度の心数を備えた光ファイバ心線が用いられている。
【０００３】
このインドアケーブルに要求される条件の一つに、損失特性や機械特性が良好であることが挙げられる。しかしながら、４心から８心程度をユニット化して収納した構造の光ファイバケーブルは機械特性、特に側圧特性に劣るという問題点がある。
【０００４】
この点について、たとえば特許文献１では、心線の周囲に発泡性樹脂からなるユニットシース部を設け、該ユニットシース部の外部応力に対する緩衝効果により側圧特性の向上が図られている。
【先行技術文献】
【特許文献】
【０００５】
【特許文献１】特許第３６８３５３５号公報
【発明の概要】
【発明が解決しようとする課題】
【０００６】
図１に従来の光ファイバインドアケーブルの構造を例示する。図１に例示した従来の光ファイバケーブル１は、４心のユニットを６つ束ねた光ファイバユニット２を挟んでその両側に平行に配置された一対のテンションメンバ３、３がケーブルシース４で一括被覆されており、ケーブルシース４の両側側面に心線取出しのためのケーブル引き裂き用のノッチ部５、５が設けられている。ケーブルシース４は、光ファイバ心線２の長手方向に両端部６、６とその間の胴部７とが一直線上に一体として形成されて、該胴部７は両端部６、６に対して凹状形状とされ、一直線上の両端部は、その最外面距離が一直線に対して直角方向の胴部の胴外面距離に比して長い略矩形である断面形状を有する。
【０００７】
当該断面形状ゆえに、例えば端部の矩形部を中心として一直線上に垂直方向に立てられて長手方向に外圧がかかったとしても、垂直に立った光ファイバケーブルは倒れることがない。そのため、かかった外圧はケーブルシース４を通して光ファイバユニット２に作用し、側圧特性が損なわれてしまうという問題がある。
【０００８】
本発明は、上記事情に鑑みてなされ、光ファイバケーブルのケーブルシース自体を側圧が加わりにくい形状とすることで、側圧特性が向上する光ファイバケーブルを提供することを目的としている。
【課題を解決するための手段】
【０００９】
上記目的を達成するために請求項１によるこの発明の光ファイバケーブルは、複数本の光ファイバ心線をユニットにした光ファイバユニットと該光ファイバユニットの両側に配置した一対のテンションメンバをケーブルシースで被覆し、前記光ファイバユニットの長手方向で、該ケーブルシースの両側側面にケーブル引き裂き用ノッチ部が形成された光ファイバケーブルにおいて、前記ケーブルシースは、ファイバユニットの長手方向に両端部とその間の胴部とが一直線上に一体として形成されて、該胴部は両端部に対して凹状形状とされ、一直線上の両端部最外面距離は一直線に対して直角方向の胴部の胴外面距離に比べて長く形成され、両端部の一方または双方の外方外面が外方に向けて突き出され、側方外面が側方に突き出されて、光ファイバケーブルを外方向に向けた突き出し部分を中心として一直線上に垂直方向に立てられて外圧がかかったときに、光ファイバケーブルは回動して横向きに倒れて側方外面の突き出し部分が横向き載置の固定材に接触して静止されるようにしたことを特徴とする光ファイバケーブルを提供する。
【００１０】
請求項１に記載の光ファイバケーブルを用いると、例えば端部の矩形部を中心として一直線上に垂直方向に立てられて長手方向に外圧がかかったとき、垂直に立った光ファイバケーブルは横向きに倒れる。横向きに倒れた後、当該外圧は側方外面の突き出し部分で支えられ、光ファイバユニットには加わらない。その効果として光ファイバケーブルの側圧特性が向上する。
【００１１】
請求項２によるこの発明の光ファイバケーブルは、請求項１において、両端部は胴部の一直線に対する直角方向の面に対して対称的形状に形成され、胴部は外面が円筒状に形成され、側方外面の突き出し部は一直線に対する直角方向の面でファイバユニットの最外側の光ファイバ心線からはずれ、テンションメンバの内側に配設されていることを特徴とする光ファイバケーブルを提供する。
【００１２】
当該構成により、ファイバユニットは外圧を支える側方外面の突き出し部よりも内側に配設されていることから、外圧がより光ファイバユニットに加わり難くなり、さらに側圧特性が向上する効果が得られる。
【００１３】
請求項３によるこの発明の光ファイバケーブルは、請求項１において、両端部の外方外面は中央を頂点とした曲面形状にされ、曲面形状の終点部が側方外面の突き出し部とされることを特徴とする光ファイバケーブルを提供する。
【００１４】
請求項４によるこの発明の光ファイバケーブルは、請求項１において、両端部の外方外面は中央を頂点とした菱形形状とされ、菱形形状の終点部が側方外面の突き出し部とされることを特徴とする光ファイバケーブルを提供する。
【発明の効果】
【００１５】
当該構成により、例えば端部の矩形部を中心として一直線上に垂直方向に立てられて長手方向に外圧がかかったとき、垂直に立った光ファイバケーブルは横向きに倒れる効果がより効果的に得られる。
【図面の簡単な説明】
【００１６】
【図１】従来の光ファイバインドアケーブルの構造を例示する断面図である。
【図２】本発明に係る光ファイバケーブルの構造を例示する断面図である。
【図３】本発明に係る光ファイバケーブルの作用図である。
【図４】本発明に係る光ファイバケーブルの構造を例示する断面図である。
【図５】本発明に係る光ファイバケーブルの作用図である。
【発明を実施するための形態】
【００１７】
以下、本発明の実施の形態について図面を参照して説明する。
【実施例１】
【００１８】
図２を参照するに、この実施の形態に係る光ファイバケーブル８は、複数本の光ファイバ心線をユニットにした光ファイバユニット２が設けられている。より詳しくは、光ファイバユニット２は、この実施の形態では４本の光ファイバ心線をユニットにし、前記ユニット３つづつ長手方向に２列、合計６つを束ねて光ファイバユニット２が構成されている。
【００１９】
上記光ファイバユニット２を挟んでその両側には、一対のテンションメンバ３、３が配置され、上記光ファイバユニット２と該一対のテンションメンバ３、３はケーブルシース４により、ファイバユニットの長手方向に両端部９、９とその間の胴部７とが一直線上に一体となるよう一括被覆されている。
【００２０】
上記ケーブルシース４の胴部７は両端部９、９に対して凹部形状となっており、上記一対のテンションメンバを通過する直線に対して直角方向で、前記光ファイバユニット長手方向の胴部両側側面にケーブル引き裂き用ノッチ部５、５が設けられている。
【００２１】
上記ケーブルシース４の両端部９、９は、中央を頂点１０とした曲面形状にされ、該曲面は中央１０から対称に９０度づつ展開し、全体として中央１０を頂点とした半円形を形成するよう構成されている。該曲面の終点部１１は上記ケーブルシース４の胴部７の外面よりも側方に突き出す構成となる。このようにして、頂点１０を中心として転び易い面が形成される。
【００２２】
ここで、前記ケーブルシース４の両端部９、９は、中央１０を頂点とした半円形のみならず、中央１０から対称に９０度づつ展開している曲線の一部に直線を含むものであってもよい。
【００２３】
前記ケーブルシース４の両端部９、９は、胴部の一直線に対する直角方向の面に対して対称的形状に形成され、前記胴部７は外面が円筒状に形成されている。前記光ファイバユニット２は、テンションメンバ３、３の内側に、前記曲面の終点部１１から構成される側方突き出し部が胴部の一直線に対する直角方向の面で最外側の光ファイバ心線からはずれる構成で配設されている。
【００２４】
上記構成により、この実施例の光ファイバケーブル８は、ケーブルシース４の両端部９、９と胴部７とを結ぶ一直線が垂直方向になるよう立てられ、該一直線方向から外圧がかかったとき、両端部の曲面形状がもたらす不安定性により垂直方向の姿勢を保持できず、横向きに倒れ、図３の如き姿勢となる。
【００２５】
図３の姿勢において、横向きに倒れた光ファイバケーブル８は、前記側方に突き出した端面部曲面の終点部１１、１１が固定材１２に接触することで静止される。
【００２６】
同時に、光ファイバケーブルに加わる外圧１３は、前記側方に突き出した端面部曲面の終点部１１、１１から構成される側方突き出し部で支えられる構成となる。当該構成により、外圧１３は終点部１１から構成される側方突き出し部にのみ加えられ、胴部７には伝わらない。
【００２７】
ここで、光ファイバユニット２が、テンションメンバ３、３の内側に、前記曲面の終点部１１から構成される側方突き出し部が胴部の一直線に対する直角方向の面で最外側の光ファイバ心線からはずれる構成で配設されていることから、外圧１３は光ファイバユニット２には伝わらない。
【００２８】
したがって、本実施例での光ファイバケーブルでは、外圧１３に由来する側圧特性の損失の発現を防ぎ、側圧特性を向上することが可能となる。
【００２９】
本実施例では、上記ケーブルシース４の胴部７両側側面のケーブル引き裂き用ノッチ部５、５は左右対称の位置に設けられているが、これは光ファイバ心線の取出し性を向上せしめるため、長手方向に２列に並べられた光ファイバユニットの、各列の側面に左右非対称に設けてもよい。
【実施例２】
【００３０】
他の実施形態として、光ファイバケーブル１４を図４に示す。図４に示すように、光ファイバケーブル１４のケーブルシース４の両端部９、９は中央を頂点１０とした菱形形状とされ、該菱形形状の終点１５は上記ケーブルシース４の胴部７外面よりも側方に突き出す構成をとる。ここで、側方に突き出す菱形形状の終点部１７は、光ファイバケーブル１４が横向きに倒れた際、より安定して静止するよう面取り１６を行っておくとより好ましい。
【００３１】
前記ケーブルシース４の両端部９、９は、胴部の一直線に対する直角方向の面に対して対称的形状に形成され、前記胴部７は外面が円筒状に形成されている。前記光ファイバユニット２は、テンションメンバ３、３の内側に、前記菱形形状の終点部１７から構成される側方突き出し部が胴部の一直線に対する直角方向の面で最外側の光ファイバ心線からはずれる構成で配設されている。
【００３２】
上記構成により、この発明の光ファイバケーブル１４は、ケーブルシース４の両端部９、９と胴部７とを結ぶ一直線が垂直方向になるよう立てられ、該一直線方向から外圧がかかったとき、両端部９、９の菱形形状の頂点部１０がもたらす不安定性により垂直方向の姿勢を保持できず、横向きに倒れ、図５の如き姿勢となる。
【００３３】
図５の姿勢において、横向きに倒れた光ファイバケーブルは、前記側方に突き出した端面部菱形形状の終点部１５、１５が固定材１２に接触することで静止される。
【００３４】
同時に、光ファイバケーブルに加わる外圧１３は、前記側方に突き出した端面部菱形形状の終点部１５、１５で支えられる構成となる。当該構成により、外圧１３は終点部１７から構成される側方突き出し部にのみ加えられ、胴部７には伝わらない。
【００３５】
ここで、光ファイバユニット２が、テンションメンバ３、３の内側に、前記菱形形状の終点部１７から構成される側方突き出し部が胴部の一直線に対する直角方向の面で最外側の光ファイバ心線からはずれる構成で配設されていることから、外圧１３は光ファイバユニット２には伝わらない。
【００３６】
したがって、本実施例での光ファイバケーブルでは、外圧１３に由来する側圧特性の損失の発現を防ぎ、側圧特性を向上することが可能となる。
【００３７】
以上の如き発明の実施の形態の説明から理解されるように、本発明によれば、光ファイバケーブルのケーブルシース自体を側圧が加わりにくい形状とすることで、側圧特性が向上する光ファイバケーブルを得ることが出来る。
【符号の説明】
【００３８】
１…光ファイバケーブル、２…光ファイバユニット、３…テンションメンバ、４…ケーブルシース、５…ノッチ部、６…光ファイバケーブルの端部、７…光ファイバケーブルの胴部、８…光ファイバケーブル、９…光ファイバケーブルのケーブルシース端部、１０…端部と胴部を結ぶ一直線上の端部頂点、１１…光ファイバケーブル端部の曲面形状終点部、１２…固定材、１３…外圧、１４…光ファイバケーブル、１５…光ファイバケーブル端部の菱形形状終点部、１６…菱形形状終点部の面取り部。
【図１】
2010175762.tif 000003
【図２】
2010175762.tif 000004
【図３】
2010175762.tif 000005
【図４】
2010175762.tif 000006
【図５】
2010175762.tif 000007